(57)【要約】【課題】画像印刷装置において、電源投入時のウォームアップ動作の完了までの時間を短くする。【解決手段】画像印刷装置１は、加熱ローラの温度を検出する温度センサ（サーミスタ）７と、温度センサ７の出力に応じて変化する比較電圧Ｖｉを基準電圧Ｖｒと比較して、比較結果信号Ｖｏを出力する比較回路１３と、比較結果信号Ｖｏに基いてヒータランプ６１を点灯、消灯するヒータ回路１２と、比較回路１３に基準電圧Ｖｒを入力する基準電圧入力回路１４と、ＡＳＩＣ１１とを備える。基準電圧入力回路１４は、ＡＳＩＣ１１のイニシャライズ動作中、基準電圧用電源２０ａから供給される電圧を基準電圧Ｖｒとして比較回路１３に入力し、イニシャライズ動作終了後、ＡＳＩＣ１１の制御を受けて、第１の抵抗Ｒ１と第２の抵抗Ｒ２により分圧した電圧を基準電圧Ｖｒとして比較回路１３に入力する。【選択図】図２
2008151978.tif 000002
【特許請求の範囲】
【請求項１】
印刷用紙にトナーを用いて画像を形成する画像形成手段と、ヒータランプ及び前記ヒータランプにより熱せられる加熱ローラを有し、前記画像形成手段により画像を形成した印刷用紙に前記加熱ローラにより熱を加えることによって、印刷用紙に画像を定着させる熱定着手段と、前記ヒータランプを点灯、消灯するヒータ回路と、前記熱定着手段の温度を検出し、検出温度に応じた温度検出電圧を出力する温度検出手段と、基準電圧が基準電圧入力ラインを介して入力されると共に基準電圧と比較するための比較電圧が比較電圧入力ラインを介して入力され、比較電圧を基準電圧と比較して、基準電圧と比較電圧との大小関係を示す比較結果信号を出力する比較回路と、本装置の動作を制御するための制御回路とを備え、
前記温度検出手段は、サーミスタであり、前記加熱ローラの温度を検出し、
前記基準電圧入力ラインを介して前記比較回路に入力される基準電圧は、前記制御回路によって制御され、
前記温度検出手段から出力される温度検出電圧は、前記比較電圧入力ラインを介して前記比較回路に比較電圧として入力され、
前記ヒータ回路は、前記比較回路から出力される比較結果信号に基いて、前記ヒータランプを点灯、消灯し、
前記制御回路は、本装置の電源投入時にイニシャライズ動作を行い、前記イニシャライズ動作終了後に、前記比較回路に入力される基準電圧の制御を開始する画像印刷装置において、
前記制御回路がイニシャライズ動作を行っているときに、前記比較回路に基準電圧を入力する基準電圧入力回路と、
画像を印刷していない待機中の状態が所定時間継続したときに、前記ヒータランプを消灯させるためのパワーセーブ回路と、をさらに備え、
前記比較回路から出力される比較結果信号は、前記制御回路に帰還され、
前記比較回路に入力される基準電圧を制御するための基準電圧制御ラインが、前記制御回路と前記基準電圧入力ラインとの間に接続されており、
前記パワーセーブ回路を制御するためのパワーセーブ制御ラインが、前記制御回路と前記パワーセーブ回路との間に接続されており、
前記制御回路は、前記イニシャライズ動作終了後において、画像を印刷していない待機中であるか画像を印刷している印刷中であるかによって、また、前記比較回路から帰還される比較結果信号に基いて、前記比較回路に入力される基準電圧を前記基準電圧制御ラインを介して制御すると共に、画像を印刷していない待機中の状態が所定時間継続したときに、前記ヒータランプを消灯させるように、前記パワーセーブ回路を前記パワーセーブ制御ラインを介して制御し、
前記基準電圧入力回路は、前記基準電圧入力ラインと前記基準電圧制御ラインとの接続点と基準電圧用電源の間において前記基準電圧入力ラインに直列に接続された第１の抵抗と、前記基準電圧制御ラインに直列に接続された第２の抵抗とを有し、前記基準電圧用電源から供給される電圧を前記第１の抵抗及び第２の抵抗により分圧した電圧を、前記基準電圧入力ラインを介して前記比較回路に基準電圧として入力するものであり、
前記パワーセーブ回路は、前記パワーセーブ制御ラインと前記比較電圧入力ラインとの間に接続され、前記制御回路による制御を受けて、強制的に、前記比較電圧入力ラインを介して前記比較回路に入力される比較電圧を、前記ヒータランプが消灯するときのレベルにするものである、
ことを特徴とする画像印刷装置。
【請求項２】
印刷用紙にトナーを用いて画像を形成する画像形成手段と、ヒータランプ及び前記ヒータランプにより熱せられる加熱ローラを有し、前記画像形成手段により画像を形成した印刷用紙に前記加熱ローラにより熱を加えることによって、印刷用紙に画像を定着させる熱定着手段と、前記ヒータランプを点灯、消灯するヒータ回路と、前記熱定着手段の温度を検出し、検出温度に応じた温度検出電圧を出力する温度検出手段と、基準電圧が基準電圧入力ラインを介して入力されると共に基準電圧と比較するための比較電圧が比較電圧入力ラインを介して入力され、比較電圧を基準電圧と比較して、基準電圧と比較電圧との大小関係を示す比較結果信号を出力する比較回路と、本装置の動作を制御するための制御回路とを備え、
前記基準電圧入力ラインを介して前記比較回路に入力される基準電圧は、前記制御回路によって制御され、
前記温度検出手段から出力される温度検出電圧は、前記比較電圧入力ラインを介して前記比較回路に比較電圧として入力され、
前記ヒータ回路は、前記比較回路から出力される比較結果信号に基いて、前記ヒータランプを点灯、消灯し、
前記制御回路は、本装置の電源投入時にイニシャライズ動作を行い、前記イニシャライズ動作終了後に、前記比較回路に入力される基準電圧の制御を開始する画像印刷装置において、
前記制御回路がイニシャライズ動作を行っているときに、前記比較回路に基準電圧を入力する基準電圧入力回路をさらに備える、
ことを特徴とする画像印刷装置。
【請求項３】
前記比較回路に入力される基準電圧を制御するための基準電圧制御ラインが、前記制御回路と前記基準電圧入力ラインとの間に接続されており、
前記制御回路は、前記イニシャライズ動作終了後において、前記比較回路に入力される基準電圧を前記基準電圧制御ラインを介して制御し、
前記基準電圧入力回路は、前記基準電圧入力ラインと前記基準電圧制御ラインとの接続点と基準電圧用電源の間において前記基準電圧入力ラインに直列に接続された第１の抵抗と、前記基準電圧制御ラインに直列に接続された第２の抵抗とを有し、前記基準電圧用電源から供給される電圧を前記第１の抵抗及び第２の抵抗により分圧した電圧を、前記基準電圧入力ラインを介して前記比較回路に基準電圧として入力するものである、
ことを特徴とする請求項２に記載の画像印刷装置。
【発明の詳細な説明】
【技術分野】
【０００１】
本発明は、印刷用紙にトナーを付着させて画像を印刷する画像印刷装置に関するものである。
【背景技術】
【０００２】
従来から、印刷用紙にトナーを付着させて画像を印刷する画像印刷装置は、画像形成部により印刷用紙にトナーを付着させて画像を形成し、熱定着部により画像形成後の印刷用紙に熱を加えて画像を定着させることにより、印刷用紙に画像を印刷するようになっている。熱定着部は、ヒータランプにより熱せられる加熱ローラによって、画像形成後の印刷用紙に熱を加えるようになっている。
【０００３】
このような画像印刷装置では、画像印刷装置の電源投入時に、ヒータランプを点灯して熱定着部を予備加熱するウォームアップ動作を行うようになっており、ウォームアップ動作が完了すると、印刷用紙に画像を印刷する印刷動作が可能な状態になる。また、ウォームアップ動作完了後は、ヒータランプの点灯、消灯を制御して熱定着部の温度制御を行い、画像を印刷していない待機中の状態においては、熱定着部の温度を第１の設定温度に保ち、画像を印刷している印刷中の状態においては、熱定着部の温度を第１の設定温度よりも高い第２の設定温度に保つようになっている。
【０００４】
そして、このような画像印刷装置では、熱定着部の温度制御を行うために、熱定着部の温度を検出するようになっている。熱定着部の温度の検出には、例えばサーミスタ等の温度センサが使用されている。熱定着部の温度制御は、制御回路が温度センサ（サーミスタ）の温度検出電圧（アナログ信号）を読取ってヒータランプの点灯、消灯を制御することにより、行われるようになっている。
【０００５】
一方、ヒータの温度をサーミスタにより検出し、サーミスタの温度検出電圧を基準値と比較し、その比較結果に基いてヒータを制御してヒータの温度制御を行うと共に、サーミスタの温度検出電圧を別の基準値と比較し、その比較結果に基いてヒータの異常高温を検出して、ヒータを強制的に消灯するようにした画像印刷装置が知られている（例えば、特許文献１参照）。また、加熱ローラの温度をサーミスタにより検出し、サーミスタの温度検出電圧を基準値と比較し、その比較結果に基いてヒータの異常高温を検出して、ヒータを強制的に消灯するようにした画像印刷装置が知られている（例えば、特許文献２参照）。また、加熱ローラの温度をサーミスタにより検出し、サーミスタの温度検出電圧に基いてヒータを制御して加熱ローラの温度制御を行う共に、サーミスタの温度検出電圧を基準値と比較し、その比較結果に基いてヒータの異常高温を検出して、ヒータを強制的に消灯するようにした画像印刷装置が知られている（例えば、特許文献３参照）。また、加熱ローラの温度をサーミスタにより検出し、サーミスタの温度検出電圧を基準値と比較し、その比較結果に基いてヒータを制御して加熱ローラの温度制御を行う共に、サーミスタの温度検出電圧を別の基準値と比較し、その比較結果に基いてヒータの異常高温を検出して、ヒータを強制的に消灯するようにした画像印刷装置が知られている（例えば、特許文献４参照）。
【特許文献１】特開２００６−７３４０２号公報
【特許文献２】特開２００５−３４５５６４号公報
【特許文献３】特開２００３−２７１０００号公報
【特許文献４】特開２００２−１４９２０１号公報
【発明の開示】
【発明が解決しようとする課題】
【０００６】
ところが、上述した従来の画像印刷装置においては、制御回路は、電源投入時にメモリからのデータの読み込み等のイニシャライズ動作を行うようになっており、イニシャライズ動作を終了するまでは、温度センサの温度検出電圧を読取って熱定着部の温度を制御することができない。つまり、従来の画像印刷装置においては、電源投入時、制御回路がイニシャライズ動作を行っている間は、ウォームアップ動作が行われず、制御回路がイニシャライズ動作を終了した後に、ウォームアップ動作が行われるようになっている。制御回路のイニシャライズ動作は、数十秒かかる。
【０００７】
このため、従来の画像印刷装置では、電源を投入してからウォームアップ動作が完了するまでの時間が長くなり、その結果、電源を投入してから印刷可能な状態になるまでの待ち時間が長くなる。なお、上述した特許文献１乃至特許文献４に開示の内容を適用したとしても、上記の問題を解決することはできない。
【０００８】
本発明は、上記課題を解決するためになされたものであり、電源投入時のウォームアップ動作の完了までの時間を短くすることができる画像印刷装置を提供することを目的とする。
【課題を解決するための手段】
【０００９】
上記目的を達成するために請求項１の発明は、印刷用紙にトナーを用いて画像を形成する画像形成手段と、ヒータランプ及びヒータランプにより熱せられる加熱ローラを有し、画像形成手段により画像を形成した印刷用紙に加熱ローラにより熱を加えることによって、印刷用紙に画像を定着させる熱定着手段と、ヒータランプを点灯、消灯するヒータ回路と、熱定着手段の温度を検出し、検出温度に応じた温度検出電圧を出力する温度検出手段と、基準電圧が基準電圧入力ラインを介して入力されると共に基準電圧と比較するための比較電圧が比較電圧入力ラインを介して入力され、比較電圧を基準電圧と比較して、基準電圧と比較電圧との大小関係を示す比較結果信号を出力する比較回路と、本装置の動作を制御するための制御回路とを備え、温度検出手段は、サーミスタであり、加熱ローラの温度を検出し、基準電圧入力ラインを介して比較回路に入力される基準電圧は、制御回路によって制御され、温度検出手段から出力される温度検出電圧は、比較電圧入力ラインを介して比較回路に比較電圧として入力され、ヒータ回路は、比較回路から出力される比較結果信号に基いて、ヒータランプを点灯、消灯し、制御回路は、本装置の電源投入時にイニシャライズ動作を行い、イニシャライズ動作終了後に、比較回路に入力される基準電圧の制御を開始する画像印刷装置において、制御回路がイニシャライズ動作を行っているときに、比較回路に基準電圧を入力する基準電圧入力回路と、画像を印刷していない待機中の状態が所定時間継続したときに、ヒータランプを消灯させるためのパワーセーブ回路と、をさらに備え、比較回路から出力される比較結果信号は、制御回路に帰還され、比較回路に入力される基準電圧を制御するための基準電圧制御ラインが、制御回路と基準電圧入力ラインとの間に接続されており、パワーセーブ回路を制御するためのパワーセーブ制御ラインが、制御回路とパワーセーブ回路との間に接続されており、制御回路は、イニシャライズ動作終了後において、画像を印刷していない待機中であるか画像を印刷している印刷中であるかによって、また、比較回路から帰還される比較結果信号に基いて、比較回路に入力される基準電圧を基準電圧制御ラインを介して制御すると共に、画像を印刷していない待機中の状態が所定時間継続したときに、ヒータランプを消灯させるように、パワーセーブ回路をパワーセーブ制御ラインを介して制御し、基準電圧入力回路は、基準電圧入力ラインと基準電圧制御ラインとの接続点と基準電圧用電源の間において基準電圧入力ラインに直列に接続された第１の抵抗と、基準電圧制御ラインに直列に接続された第２の抵抗とを有し、基準電圧用電源から供給される電圧を第１の抵抗及び第２の抵抗により分圧した電圧を、基準電圧入力ラインを介して比較回路に基準電圧として入力するものであり、パワーセーブ回路は、パワーセーブ制御ラインと比較電圧入力ラインとの間に接続され、制御回路による制御を受けて、強制的に、比較電圧入力ラインを介して比較回路に入力される比較電圧を、ヒータランプが消灯するときのレベルにするものである。
【００１０】
請求項２の発明は、印刷用紙にトナーを用いて画像を形成する画像形成手段と、ヒータランプ及びヒータランプにより熱せられる加熱ローラを有し、画像形成手段により画像を形成した印刷用紙に加熱ローラにより熱を加えることによって、印刷用紙に画像を定着させる熱定着手段と、ヒータランプを点灯、消灯するヒータ回路と、熱定着手段の温度を検出し、検出温度に応じた温度検出電圧を出力する温度検出手段と、基準電圧が基準電圧入力ラインを介して入力されると共に基準電圧と比較するための比較電圧が比較電圧入力ラインを介して入力され、比較電圧を基準電圧と比較して、基準電圧と比較電圧との大小関係を示す比較結果信号を出力する比較回路と、本装置の動作を制御するための制御回路とを備え、基準電圧入力ラインを介して比較回路に入力される基準電圧は、制御回路によって制御され、温度検出手段から出力される温度検出電圧は、比較電圧入力ラインを介して比較回路に比較電圧として入力され、ヒータ回路は、比較回路から出力される比較結果信号に基いて、ヒータランプを点灯、消灯し、制御回路は、本装置の電源投入時にイニシャライズ動作を行い、イニシャライズ動作終了後に、比較回路に入力される基準電圧の制御を開始する画像印刷装置において、制御回路がイニシャライズ動作を行っているときに、比較回路に基準電圧を入力する基準電圧入力回路をさらに備えるものである。
【００１１】
請求項３の発明は、請求項２に記載の画像印刷装置において、比較回路に入力される基準電圧を制御するための基準電圧制御ラインが、制御回路と基準電圧入力ラインとの間に接続されており、制御回路は、イニシャライズ動作終了後において、比較回路に入力される基準電圧を基準電圧制御ラインを介して制御し、基準電圧入力回路は、基準電圧入力ラインと基準電圧制御ラインとの接続点と基準電圧用電源の間において基準電圧入力ラインに直列に接続された第１の抵抗と、基準電圧制御ラインに直列に接続された第２の抵抗とを有し、基準電圧用電源から供給される電圧を第１の抵抗及び第２の抵抗により分圧した電圧を、基準電圧入力ラインを介して比較回路に基準電圧として入力するものである。
【発明の効果】
【００１２】
請求項１の発明によれば、制御回路がイニシャライズ動作を行っているとき、基準電圧入力回路から比較回路に基準電圧が入力される。従って、電源投入後、制御回路がイニシャライズ動作を終了するのを待つことなく、制御回路がイニシャライズ動作を行っているときに、基準電圧入力回路から比較回路に入力される基準電圧と温度検出手段から比較回路に入力される比較電圧との比較結果に基づいて、ウォームアップ動作（ヒータランプを点灯して熱定着手段を予備加熱する動作）が行われる。これにより、電源投入時のウォームアップ動作が完了するまでの時間を短くすることができ、電源投入時に印刷可能な状態になるまでの待ち時間を短くすることができる。しかも、基準電圧入力回路は、基準電圧用電源から供給される電圧を第１の抵抗及び第２の抵抗により分圧した電圧を、比較回路に基準電圧として入力するものであるため、簡素で容易な構成によって、制御回路がイニシャライズ動作を行っているときに比較回路に基準電圧が入力される構成を実現できる。また、画像を印刷していない待機中の状態が所定時間継続したときには、パワーセーブ回路の働きによってヒータランプが消灯され、これにより、無駄な電力消費を抑えることができる。しかも、パワーセーブ回路は、比較回路に入力される比較電圧をヒータランプが消灯するときのレベルにするものであるため、簡素で容易な構成によって、待機中の状態が所定時間継続したときにヒータランプが消灯される構成を実現できる。
【００１３】
請求項２の発明によれば、制御回路がイニシャライズ動作を行っているとき、基準電圧入力回路から比較回路に基準電圧が入力される。従って、電源投入後、制御回路がイニシャライズ動作を終了するのを待つことなく、制御回路がイニシャライズ動作を行っているときに、基準電圧入力回路から比較回路に入力される基準電圧と温度検出手段から比較回路に入力される比較電圧との比較結果に基づいて、ウォームアップ動作（ヒータランプを点灯して熱定着手段を予備加熱する動作）が行われる。これにより、電源投入時のウォームアップ動作が完了するまでの時間を短くすることができ、電源投入時に印刷可能な状態になるまでの待ち時間を短くすることができる。
【００１４】
請求項３の発明によれば、基準電圧入力回路は、基準電圧用電源から供給される電圧を第１の抵抗及び第２の抵抗により分圧した電圧を、比較回路に基準電圧として入力するものであるため、簡素で容易な構成によって、制御回路がイニシャライズ動作を行っているときに比較回路に基準電圧が入力される構成を実現できる。
【発明を実施するための最良の形態】
【００１５】
以下、本発明を具体化した実施形態に係る画像印刷装置について図面を参照して説明する。図１は、画像印刷装置の構成を示す。画像印刷装置１は、印刷用紙２に画像を印刷する装置である。この画像印刷装置１は、レーザ光を利用して印刷用紙２にトナーを付着させることにより印刷用紙２に画像を印刷する、いわゆるレーザプリンタである。
【００１６】
画像印刷装置１は、印刷用紙２を搬送する搬送部３と、印刷用紙２に画像を印刷するためのトナーを貯蔵するトナーカートリッジ４と、印刷用紙２にトナーを付着させて画像を形成する画像形成部５と、印刷用紙２に形成された画像を定着させる熱定着部６と、熱定着部６の温度を検出する温度検出手段である温度センサ７と、画像印刷前の印刷用紙２が装填される給紙トレイ８と、画像印刷後の印刷用紙２を積載するための排紙トレイ９等を備える。
【００１７】
搬送部３は、給紙ローラ３１と、搬送ローラ３２〜３５と、排紙ローラ３６等を有している。給紙トレイ８に装填されている印刷用紙２は、給紙ローラ３１により１枚ずつ取り込まれ、搬送ローラ３２〜３５により画像形成部５及び熱定着部６を経由して排紙ローラ３６へと搬送され、排紙ローラ３６により排紙トレイ９に排紙される。
【００１８】
画像形成部５は、感光体ドラム５１と、帯電器５２と、レーザ露光器５３と、現像ブラシ５４と、転写ローラ５５等を有しており、以下のようにして、印刷用紙２に画像を形成する。まず、感光体ドラム５１の表面を帯電器５２により帯電させると共に、レーザ露光器５３により感光体ドラム５１の表面にレーザ光を照射することによって、感光体ドラム５１の表面に潜像を形成する。続いて、トナーカートリッジ４に貯蔵されているトナーを現像ブラシ５４により感光体ドラム５１の表面に付着させる（トナーは、潜像が形成されている部分に付着する）ことによって、感光体ドラム５１の表面にトナー像を形成する。そして、搬送部３により搬送されてきた印刷用紙２を転写ローラ５５により感光体ドラム５１の表面に押圧することによって、感光体ドラム５１の表面に付着しているトナーを印刷用紙２に付着させ、感光体ドラム５１に形成されているトナー像を印刷用紙２に転写して、印刷用紙２に画像を形成する。
【００１９】
熱定着部６は、ヒータランプ６１と、加熱ローラ６２と、加圧ローラ６３等を有している。ヒータランプ６１は、加熱ローラ６２内に配置されており、加熱ローラ６２は、ヒータランプ６１により熱せられるようになっている。加圧ローラ６３は、搬送部３により搬送されてきた印刷用紙２を加熱ローラ６２に加圧するようになっている。熱定着部６は、画像形成部５により画像を形成した印刷用紙２（搬送部３により搬送されてきた印刷用紙２）を加圧ローラ６３により加熱ローラ６２に加圧して、加熱ローラ６２により印刷用紙２に熱を加えることによって、印刷用紙２に画像を定着させる。画像形成部５により印刷用紙２に画像を形成し、熱定着部６により印刷用紙２に画像を定着させることにより、印刷用紙２に画像が印刷される。
【００２０】
温度センサ７は、サーミスタであり、加熱ローラ６２に接触するように設置されている。従って、温度センサ７は、加熱ローラ６２の温度を熱定着部６の温度として検出するようになっている。温度センサ７は、検出温度に応じた温度検出電圧を出力する。
【００２１】
このような構成の画像印刷装置１は、温度センサ７の温度検出電圧に基いて、熱定着部６のヒータランプ６１の点灯、消灯を制御することにより、熱定着部６の温度（加熱ローラ６２の温度）を制御するようになっている。そして、画像印刷装置１は、画像印刷装置１の電源投入時に、ヒータランプ６１を点灯して熱定着部６を予備加熱するウォームアップ動作を行うようになっている。
【００２２】
また、画像印刷装置１は、ウォームアップ動作の終了後、ヒータランプ６１の点灯、消灯を制御して熱定着部６の温度制御を行い、画像を印刷していない待機中の状態においては、熱定着部６の温度を第１の設定温度に保ち、画像を印刷している印刷中の状態においては、熱定着部６の温度を第１の設定温度よりも高い第２の設定温度に保つようになっている。また、画像印刷装置１は、待機中の状態が所定時間継続した場合には、強制的にヒータランプ６１を消灯して、電力消費を抑えるようになっている。
【００２３】
図２は、画像印刷装置１の電気的ブロック構成を示す。画像印刷装置１は、上述の構成に加え、画像印刷装置１の動作を制御するためのＣＰＵ、メモリ等を含む制御回路であるＡＳＩＣ１１と、ヒータ回路１２と、比較回路１３と、基準電圧入力回路１４と、平滑回路１５と、パワーセーブ回路１６等を備える。
【００２４】
画像印刷装置１は、上述の温度センサ７及びこれらの回路によって、熱定着部６のヒータランプ６１の点灯／消灯を制御して、熱定着部６（加熱ローラ６２）の温度制御を行う。また、画像印刷装置１は、ＡＳＩＣ１１によって、搬送部３、画像形成部５、及び熱定着部６等の動作を制御して、印刷用紙２に画像を印刷する印刷動作を含む画像印刷装置１の各種動作を制御する。
【００２５】
温度センサ７は、上述のように、サーミスタであり、加熱ローラ６２の温度を熱定着部６の温度として検出して、検出温度に応じた温度検出電圧を出力する。この温度センサ（サーミスタ）７は、負特性のサーミスタであり、温度が高くなるにつれて電気抵抗が下がる性質を有している。従って、温度センサ７の温度検出電圧は、加熱ローラ６２の温度が高くなるにつれて低くなり、加熱ローラ６２の温度が低くなるにつれて高くなる。
【００２６】
ヒータ回路１２は、ヒータランプ６１を点灯、消灯する回路である。ヒータ回路１２は、ヒータランプ６１の点灯、消灯を制御するためのヒータ制御信号Ｖｈが入力され、ヒータ制御信号Ｖｈに基いてヒータランプ６１を点灯、消灯するようになっている。ヒータ回路１２は、ヒータ制御信号Ｖｈがハイレベルのときに、ヒータランプ６１を点灯し、ヒータ制御信号Ｖｈがローレベルのときに、ヒータランプ６１を消灯する。
【００２７】
比較回路１３は、基準電圧Ｖｒと比較電圧Ｖｉとを比較して、基準電圧Ｖｒと比較電圧Ｖｉとの大小関係を示す比較結果信号Ｖｏを出力する回路であり、コンパレータＣｍｐ１を有している。比較回路１３は、基準電圧Ｖｒが基準電圧入力ライン２１を介して入力されると共に、基準電圧Ｖｒと比較するための比較電圧Ｖｉが比較電圧入力ライン２２を介して入力され、コンパレータＣｍｐ１により比較電圧Ｖｉを基準電圧Ｖｒと比較して、基準電圧Ｖｒと比較電圧Ｖｉとの大小関係を示す比較結果信号Ｖｏを信号出力ライン２３から出力する。
【００２８】
基準電圧入力ライン２１は、基準電圧用電源２０ａとコンパレータＣｍｐ１の反転入力端子との間に接続され、比較電圧入力ライン２２は、温度センサ（サーミスタ）７とコンパレータＣｍｐ１の非反転入力端子との間に接続されている。信号出力ライン２３は、緩衝増幅器１９を介してヒータ回路１２に接続されている。
【００２９】
コンパレータＣｍｐ１は、基準電圧Ｖｒが反転入力端子に入力されると共に比較電圧Ｖｉが非反転入力端子に入力される非反転形コンパレータである。従って、コンパレータＣｍｐ１は、比較電圧Ｖｉが基準電圧Ｖｒよりも高い場合に、ハイレベルの比較結果信号Ｖｏを出力し、比較電圧Ｖｉが基準電圧Ｖｒよりも低い場合に、ローレベルの比較結果信号Ｖｏを出力する。比較回路１３から出力された比較結果信号Ｖｏは、緩衝増幅器１９を介して、ヒータランプ６１の点灯、消灯を制御するためのヒータ制御信号Ｖｈとして、ヒータ回路１２に入力される。
【００３０】
従って、ヒータ回路１２は、比較回路１３から出力される比較結果信号Ｖｏに基いてヒータランプ６１を点灯、消灯し、比較結果信号Ｖｏがハイレベルのとき（ヒータ制御信号Ｖｈがハイレベルのとき）に、ヒータランプ６１を点灯し、比較結果信号Ｖｏがローレベルのとき（ヒータ制御信号Ｖｈがローレベルのとき）に、ヒータランプ６１を消灯する。
【００３１】
基準電圧入力回路１４は、比較回路１３に入力する基準電圧Ｖｒを出力する回路であり、第１の抵抗Ｒ１と、第２の抵抗Ｒ２とを有している。比較回路１３に入力する基準電圧Ｖｒを制御するための基準電圧制御ライン２４が、ＡＳＩＣ１１の基準電圧制御ポート２７と基準電圧入力ライン２１との間に接続されている。第１の抵抗Ｒ１は、基準電圧入力ライン２１と基準電圧制御ライン２４との接続点Ｐと基準電圧用電源２０ａの間において、基準電圧入力ライン２１に直列に接続されている。第２の抵抗Ｒ２は、基準電圧制御ライン２４に直列に接続されている。
【００３２】
基準電圧入力回路１４は、ＡＳＩＣ１１の基準電圧制御ポート２７がハイレベルのとき、基準電圧用電源２０ａから供給される５ｖの電圧を、比較回路１３に入力する基準電圧Ｖｒとして出力する。また、基準電圧入力回路１４は、基準電圧制御ポート２７がローレベルのとき、基準電圧用電源２０ａから供給される５ｖの電圧を第１の抵抗Ｒ１と第２の抵抗Ｒ２により分圧した電圧を、比較回路１３に入力する基準電圧Ｖｒとして出力する。第１の抵抗Ｒ１の抵抗値と第２の抵抗Ｒ２の抵抗値は、同じ抵抗値に設定されている。従って、基準電圧制御ポート２７がローレベルのとき、基準電圧入力回路１４は、２．５ｖの電圧を、比較回路１３に入力する基準電圧Ｖｒとして出力する。
【００３３】
平滑回路１５は、基準電圧入力回路１４から出力された（比較回路１３に入力される）基準電圧Ｖｒを平滑化する回路であり、第３〜第５の抵抗Ｒ３〜Ｒ５と、第１〜第３のコンデンサＣ１〜Ｃ３とを有している。平滑回路１５は、基準電圧入力ライン２１と基準電圧制御ライン２４との接続点Ｐと比較回路１３の間において、基準電圧入力ライン２１に直列に接続されている。基準電圧入力回路１４から出力された基準電圧Ｖｒは、平滑回路１５により平滑化されて、比較回路１３に入力される。
【００３４】
パワーセーブ回路１６は、画像を印刷していない待機中の状態が所定時間継続したときに、強制的にヒータランプ６１を消灯させるための回路であり、第６〜第９の抵抗Ｒ６〜Ｒ９と、トランジスタＴｒ１とを有している。パワーセーブ回路１６を制御するためのパワーセーブ制御ライン２５が、ＡＳＩＣ１１のパワーセーブ制御ポート２８とパワーセーブ回路１６との間に接続されている。パワーセーブ回路１６は、パワーセーブ制御ライン２５と比較電圧入力ライン２２との間に接続されている。また、第１０の抵抗Ｒ１０が、比較電圧入力ライン２２とパワーセーブ回路１６との接続点Ｑと温度センサ７の間において、比較電圧入力ライン２２に直列に接続されている。
【００３５】
パワーセーブ回路１６は、ＡＳＩＣ１１のパワーセーブ制御ポート２８がハイレベルのとき、トランジスタＴｒ１が導通せず、パワーセーブ制御ポート２８がローレベルのとき、トランジスタＴｒ１が導通する。トランジスタＴｒ１が導通していない状態では、電源２０ｂから供給されるＥｖの電圧を抵抗Ｒ９と温度センサ７及び抵抗Ｒ１０の合成抵抗により分圧した電圧が、比較電圧入力ライン２２を介して比較回路１３に比較電圧Ｖｉとして入力される。また、トランジスタＴｒ１が導通している状態では、電源２０ｂから供給されるＥｖの電圧を抵抗Ｒ７、抵抗Ｒ８、及び抵抗Ｒ９の合成抵抗と温度センサ７及び抵抗Ｒ１０の合成抵抗により分圧した電圧が、比較電圧入力ライン２２を介して比較回路１３に比較電圧Ｖｉとして入力される。
【００３６】
電源２０ｂの電圧値Ｅ、温度センサ７、抵抗Ｒ７、Ｒ８、Ｒ９、Ｒ１０の各抵抗値は、トランジスタＴｒ１が導通していないときに比較回路１３に入力される比較電圧Ｖｉが、温度センサ７の検出温度が常温のとき（加熱ローラ６２が熱せられずに冷めている常温状態のとき）に、５ｖよりも高くなり、温度センサ７の検出温度が高温になると（加熱ローラ６２が熱せられると）、２．５ｖよりも低い一定の電圧に近づき、また、トランジスタＴｒ１が導通しているときに比較回路１３に入力される比較電圧Ｖｉが、温度センサ７の検出温度に関わらず、ほぼ０ｖになるように、設定されている。
【００３７】
例えば、電源２０ｂの電圧値Ｅは、１２ｖ程度とされ、温度センサ（サーミスタ）７は、常温のときに４００ｋΩ程度の抵抗値になると共に２００℃のときに５ｋΩ程度の抵抗値になるものが用いられ、抵抗Ｒ９の抵抗値は、４００ｋΩ程度とされ、抵抗Ｒ１０の抵抗値は、１００ｋΩ程度とされる。このようにすれば、トランジスタＴｒ１が導通していないときに比較回路１３に入力される比較電圧Ｖｉは、加熱ローラ６２が常温のときには、５ｖよりも高い６．６ｖ程度になり、加熱ローラ６２が２００℃のときには、２．５ｖ程度になる。また、抵抗Ｒ８の抵抗値は、抵抗Ｒ９の抵抗値に比較して十分な小さな値（例えば、抵抗Ｒ９の抵抗値が４００ｋΩ程度に対して、抵抗Ｒ８の抵抗値が５０Ω程度）とされる。このようにすれば、トランジスタＴｒ１が導通しているときに比較回路１３に入力される比較電圧Ｖｉは、温度センサ７の検出温度に関わらず、ほぼ０ｖになる。
【００３８】
つまり、パワーセーブ回路１６は、パワーセーブ制御ポート２８がハイレベルのとき（トランジスタＴｒ１が導通していないとき）には、比較回路１３に入力される比較電圧Ｖｉを、温度センサ７の検出温度に応じて変化する電圧（加熱ローラ６２が常温状態のときには、５ｖよりも高く、加熱ローラ６２の温度が高くなるにつれて、２．５ｖよりも低い一定の電圧に近づくように変化する電圧）にし、また、パワーセーブ制御ポート２８がローレベルのとき（トランジスタＴｒ１が導通しているとき）には、比較回路１３に入力される比較電圧Ｖｉを、温度センサ７の検出温度に関わらず、強制的に、ほぼ０ｖにする。
【００３９】
また、比較結果信号ＶｏをＡＳＩＣ１１に帰還させる信号帰還ライン２６が、ＡＳＩＣ１１の信号帰還ポート２９と信号出力ライン２３との間に接続されており、比較回路１３から出力された比較結果信号Ｖｏは、信号帰還ライン２６を介して、ＡＳＩＣ１１の信号帰還ポート２９に帰還されるようになっている。電源２０ｃと信号出力ライン２３との間には、第１１の抵抗Ｒ１１が接続されている。
【００４０】
ＡＳＩＣ１１は、画像印刷装置１の電源が投入されると、メモリからのデータの読み込み等のイニシャライズ動作を行い、イニシャライズ動作終了後に、比較回路１３に入力される基準電圧Ｖｒの制御を開始する。そして、ＡＳＩＣ１１は、イニシャライズ動作終了後において、画像を印刷していない待機中であるか画像を印刷している印刷中であるかによって、また、比較回路１３から帰還される比較結果信号Ｖｏに基いて、比較回路１３に入力される基準電圧Ｖｒを制御する。ＡＳＩＣ１１の基準電圧制御ポート２７は、常態でハイレベルのポートであり、ＡＳＩＣ１１は、基準電圧制御ポート２７の電圧レベルを制御することによって、基準電圧制御ライン２４を介して、基準電圧入力回路１４が出力する基準電圧Ｖｒを制御する。
【００４１】
また、ＡＳＩＣ１１は、画像を印刷していない待機中の状態が所定時間継続したときに、強制的にヒータランプ６１を消灯させるように、パワーセーブ回路１６を制御する。ＡＳＩＣ１１のパワーセーブ制御ポート２８は、常態でハイレベルのポートであり、ＡＳＩＣ１１は、パワーセーブ制御ポート２８の電圧レベルを制御することによって、パワーセーブ制御ライン２５を介して、パワーセーブ回路１６を制御する。
【００４２】
図３（ａ）（ｂ）（ｃ）は、画像印刷装置１の基準電圧入力回路１４が出力する基準電圧Ｖｒの出力波形を示す。ヒータランプ６１の点灯、消灯動作は、以下のようにして制御される。
【００４３】
まず、画像印刷装置１の電源が投入されると、ＡＳＩＣ１１は、上述のようにイニシャライズ動作を行う。ＡＳＩＣ１１の基準電圧制御ポート２７は、上述のように常態でハイレベルのポートであり、従って、ＡＳＩＣ１１がイニシャライズ動作を行っているとき、基準電圧制御ポート２７の電圧レベルは、ハイレベルの状態にある。基準電圧入力回路１４は、上述のように、基準電圧制御ポート２７がハイレベルのとき、基準電圧用電源２０ａから供給される５ｖの電圧を基準電圧Ｖｒとして出力する。
【００４４】
すなわち、ＡＳＩＣ１１がイニシャライズ動作を行っているとき、基準電圧入力回路１４が出力する基準電圧Ｖｒは、図３（ａ）に示すように、５ｖの一定電圧となり、この基準電圧Ｖｒが平滑回路１５を経由して比較回路１３に入力される。つまり、基準電圧入力回路１４は、ＡＳＩＣ１１がイニシャライズ動作を行っているとき、ＡＳＩＣ１１による制御を受けることなく、５ｖの一定電圧の基準電圧Ｖｒを比較回路１３に入力する。
【００４５】
ここで、ＡＳＩＣ１１のパワーセーブ制御ポート２８は、上述のように常態でハイレベルのポートであり、従って、ＡＳＩＣ１１がイニシャライズ動作を行っているとき、パワーセーブ制御ポート２８の電圧レベルは、ハイレベルの状態にある。パワーセーブ制御ポート２８がハイレベルの状態にあるとき、上述のように、パワーセーブ回路１６の働きにより、比較回路１３には、温度センサ７の検出温度に応じた電圧が比較電圧Ｖｉとして入力される。このときに比較回路１３に入力される比較電圧Ｖｉは、上述のように、加熱ローラ６２が常温状態（ヒータランプ６１により熱せられずに冷めている状態）のときには、５ｖよりも高く、加熱ローラ６２の温度が高くなるにつれて、２．５ｖよりも低い一定の電圧に近づくようになっている。
【００４６】
すなわち、ＡＳＩＣ１１がイニシャライズ動作を行っているとき（画像印刷装置１の電源投入後にヒータランプ６１を未だ点灯していないとき）、比較回路１３に入力される比較電圧Ｖｉは、基準電圧Ｖｒ（５ｖ）よりも高くなっている。
【００４７】
従って、ＡＳＩＣ１１がイニシャライズ動作を行っているとき、比較回路１３からハイレベルの比較結果信号Ｖｏが出力されて、ヒータ回路１２によってヒータランプ６１が点灯され、これにより、加熱ローラ６２の加熱が開始されて、ウォームアップ動作が開始される。つまり、画像印刷装置１の電源が投入されると、電源投入と同時に（イニシャライズ動作中において）、ウォームアップ動作が開始される。
【００４８】
ＡＳＩＣ１１のイニシャライズ動作が終了すると、ＡＳＩＣ１１は、上述のように比較回路１３に入力される基準電圧Ｖｒを制御する。基準電圧入力回路１４は、上述のように、基準電圧制御ポート２７がハイレベルのとき、基準電圧用電源２０ａから供給される５ｖの電圧を基準電圧Ｖｒとして出力し、基準電圧制御ポート２７がローレベルのとき、基準電圧用電源２０ａから供給される５ｖの電圧を第１の抵抗Ｒ１と第２の抵抗Ｒ２により分圧した２．５ｖの電圧を基準電圧Ｖｒとして出力する。
【００４９】
ＡＳＩＣ１１は、基準電圧制御ポート２７の電圧レベルをハイレベルとローレベルとにＰＷＭ制御することによって、基準電圧Ｖｒを制御する。これにより、ＡＳＩＣ１１のイニシャライズ動作終了後、基準電圧入力回路１４が出力する基準電圧Ｖｒは、５ｖの電圧と２．５ｖの電圧でＰＷＭ制御された電圧となり、この基準電圧Ｖｒが平滑回路１５により平滑化されて比較回路１３に入力される。つまり、基準電圧入力回路１４は、ＡＳＩＣ１１のイニシャライズ動作後においては、ＡＳＩＣ１１による制御を受けて、５ｖと２．５ｖでＰＷＭ制御された基準電圧Ｖｒを比較回路１３に入力する。
【００５０】
このとき、画像を印刷していない待機中（イニシャライズ動作終了後から印刷指示を受けるまでの間、及び前回の印刷動作終了後から新しく印刷指示を受けるまでの間）のときには、ＡＳＩＣ１１は、基準電圧制御ポート２７の電圧レベルを、ローレベルのときの時間間隔がハイレベルのときの時間間隔と等しくなるようにＰＷＭ制御する。
【００５１】
すなわち、画像を印刷していない待機中のとき、基準電圧入力回路１４が出力する基準電圧Ｖｒは、図３（ｂ）に示すように、２．５ｖの出力区間と５ｖの出力区間がほぼ同じ間隔でＰＷＭ制御された電圧となり、この基準電圧Ｖｒが平滑回路１５により平滑化されて比較回路１３に入力される。比較回路１３に入力される基準電圧Ｖｒは、平滑回路１５により平滑化されることにより、概ね３．７５ｖとなる。
【００５２】
ここで、パワーセーブ制御ポート２８は、上述のように常態でハイレベルのポートであり、ＡＳＩＣ１１は、画像を印刷していない待機中のとき、パワーセーブ制御ポート２８の電圧レベルをハイレベルの状態に維持する。パワーセーブ制御ポート２８がハイレベルの状態にあるとき、比較回路１３に入力される比較電圧Ｖｉは、上述のように、加熱ローラ６２が常温状態のときには、５ｖよりも高く、加熱ローラ６２の温度が高くなるにつれて、２．５ｖよりも低い一定の電圧に近づくようになっている。
【００５３】
従って、画像を印刷していない待機中のとき、比較電圧Ｖｉが基準電圧Ｖｒ（概ね３．７５ｖ）よりも高い場合には、比較回路１３からハイレベルの比較結果信号Ｖｏが出力されて、ヒータ回路１２によってヒータランプ６１が点灯され、比較電圧Ｖｉが基準電圧Ｖｒ（概ね３．７５ｖ）よりも低い場合には、比較回路１３からローレベルの比較結果信号Ｖｏが出力されて、ヒータ回路１２によってヒータランプ６１が消灯される。これにより、画像を印刷していない待機中のときには、加熱ローラ６２の温度が基準電圧Ｖｒ（概ね３．７５ｖ）に相当する第１の設定温度に保たれる。
【００５４】
また、画像を印刷している印刷中（印刷指示を受けてから印刷動作を終了するまでの間）のときには、ＡＳＩＣ１１は、基準電圧制御ポート２７の電圧レベルを、ローレベルのときの時間間隔がハイレベルのときの時間間隔よりも長くなるようにＰＷＭ制御する。
【００５５】
すなわち、画像を印刷している印刷中のとき、基準電圧入力回路１４が出力する基準電圧Ｖｒは、図３（ｃ）に示すように、２．５ｖの出力区間が５ｖの出力区間よりも長い間隔でＰＷＭ制御された電圧となり、この基準電圧Ｖｒが平滑回路１５により平滑化されて比較回路１３に入力される。比較回路１３に入力される基準電圧Ｖｒは、平滑回路１５により平滑化されることにより、概ね３．７５ｖよりも低い電圧値（例えば概ね３ｖ）となる。
【００５６】
ここで、パワーセーブ制御ポート２８は、上述のように常態でハイレベルのポートであり、ＡＳＩＣ１１は、画像を印刷している印刷中のとき、パワーセーブ制御ポート２８の電圧レベルをハイレベルの状態に維持する。パワーセーブ制御ポート２８がハイレベルの状態にあるとき、比較回路１３に入力される比較電圧Ｖｉは、上述のように、加熱ローラ６２が常温状態のときには、５ｖよりも高く、加熱ローラ６２の温度が高くなるにつれて、２．５ｖよりも低い一定の電圧に近づくようになっている。
【００５７】
従って、画像を印刷している印刷中のとき、比較電圧Ｖｉが基準電圧Ｖｒ（例えば概ね３ｖ）よりも高い場合には、比較回路１３からハイレベルの比較結果信号Ｖｏが出力されて、ヒータ回路１２によってヒータランプ６１が点灯され、比較電圧Ｖｉが基準電圧Ｖｒ（例えば概ね３ｖ）よりも低い場合には、比較回路１３からローレベルの比較結果信号Ｖｏが出力されて、ヒータ回路１２によってヒータランプ６１が消灯される。これにより、画像を印刷している印刷中のときには、加熱ローラ６２の温度が基準電圧Ｖｒ（例えば概ね３ｖ）に相当する第２の設定温度（第１の設定温度よりも高い）に保たれる。
【００５８】
また、画像を印刷していない待機中の状態が所定時間継続すると、ＡＳＩＣ１１は、上述のように強制的にヒータランプ６１を消灯させるようにパワーセーブ回路１６を制御する。画像を印刷していない待機中のとき、上述のように、パワーセーブ制御ポート２８は、ハイレベルに維持されており、それにより、比較回路１３に入力される比較電圧Ｖｉは、加熱ローラ６２が常温状態のときには、５ｖよりも高く、加熱ローラ６２の温度が高くなるにつれて、２．５ｖよりも低い一定の電圧に近づくようになっている。
【００５９】
ＡＳＩＣ１１は、パワーセーブ制御ポート２８の電圧レベルをローレベルにすることにより、強制的にヒータランプ６１を消灯させるようにパワーセーブ回路１６を制御する。パワーセーブ回路１６は、上述のように、パワーセーブ制御ポート２８がローレベルの状態にあるとき、比較回路１３に入力される比較電圧Ｖｉを温度センサ７の検出温度に関わらず強制的にほぼ０ｖにする。
【００６０】
これにより、比較回路１３に入力される比較電圧Ｖｉは、温度センサ７の検出温度に関わらず、画像を印刷していない待機中の基準電圧Ｖｒ（概ね３．７５ｖ）よりも低くなり、比較回路１３からローレベルの比較結果信号Ｖｏが出力されて、ヒータ回路１２によってヒータランプ６１が消灯される。つまり、パワーセーブ回路１６は、ＡＳＩＣ１１による制御を受けて、強制的に、比較回路１３に入力される比較電圧Ｖｉをヒータランプ６１が消灯するときのレベルにし、これにより、強制的にヒータランプ６１を消灯させる。
【００６１】
ＡＳＩＣ１１は、画像を印刷していない待機中の状態が所定時間継続すると、その後に印刷指示を受けるまで、パワーセーブ制御ポート２８の電圧レベルをローレベルに維持する。これにより、画像を印刷していない待機中の状態が所定時間継続したときには、その後に印刷指示を受けるまで、ヒータランプ６１が消灯された状態になる。
【００６２】
このように、上記構成の画像印刷装置１によれば、ＡＳＩＣ１１がイニシャライズ動作を行っているとき、基準電圧入力回路１４から比較回路１３に基準電圧Ｖｒが入力される。そして、電源投入後、ＡＳＩＣ１１がイニシャライズ動作を終了するのを待つことなく、ＡＳＩＣ１１がイニシャライズ動作を行っているときに、基準電圧入力回路１４から比較回路１３に入力される基準電圧Ｖｒと温度センサ７から比較回路１３に入力される比較電圧Ｖｉとの比較結果に基づいて、ウォームアップ動作（ヒータランプ６１を点灯して熱定着部６を予備加熱する動作）が行われる。これにより、電源投入時のウォームアップ動作が完了するまでの時間を短くすることができ、電源投入時に印刷可能な状態になるまでの待ち時間を短くすることができる。
【００６３】
また、ＡＳＩＣ１１がイニシャライズ動作を終了した後は、比較回路１３に入力される基準電圧ＶｒをＡＳＩＣ１１によって可変制御することができ、これにより、画像を印刷していない待機中であるか画像を印刷している印刷中であるかによって、また、比較回路１３から帰還される比較結果信号Ｖｏに基いて、適切に熱定着部６の温度制御を行うことができる。
【００６４】
しかも、基準電圧入力回路１４は、基準電圧用電源２０ａから供給される電圧を第１の抵抗Ｒ１及び第２の抵抗Ｒ２により分圧した電圧を、比較回路１３に基準電圧Ｖｒとして入力するものであるため、簡素で容易な構成によって、ＡＳＩＣ１１がイニシャライズ動作を行っているときに比較回路１３に基準電圧Ｖｒが入力されると共にＡＳＩＣ１１がイニシャライズ動作を終了した後に基準電圧Ｖｒを可変制御できる構成を実現できる。
【００６５】
さらに、画像を印刷していない待機中の状態が所定時間継続したときには、パワーセーブ回路１６の働きによってヒータランプ６１が消灯され、これにより、無駄な電力消費を抑えることができる。しかも、パワーセーブ回路１６は、比較回路１３に入力される比較電圧Ｖｉをヒータランプ６１が消灯するときのレベルにするものであるため、簡素で容易な構成によって、待機中の状態が所定時間継続したときにヒータランプ６１が消灯される構成を実現できる。
【００６６】
なお、本発明は、上記実施形態の構成に限られず、種々の変形が可能である。例えば、温度センサは、加熱ローラの温度に限られず、ヒータランプの周辺や加熱ローラ周辺の温度を熱定着部の温度として検出してもよい。また、温度センサは、サーミスタに限られず、温度を電気信号に変換して出力するものであればよい。
【図面の簡単な説明】
【００６７】
【図１】本発明の一実施形態に係る画像印刷装置の側断面図。
【図２】同画像印刷装置の電気的ブロック構成図。
【図３】同画像印刷装置の基準電圧入力回路が出力する基準電圧の出力波形を示す図であり、（ａ）はＡＳＩＣのイニシャライズ動作中の出力波形を示す図、（ｂ）はＡＳＩＣのイニシャライズ動作終了後、画像を印刷していない待機中の出力波形を示す図、（ｃ）は、ＡＳＩＣのイニシャライズ動作終了後、画像を印刷している印刷中の出力波形を示す図。
【符号の説明】
【００６８】
１    画像印刷装置
２    印刷用紙
３    搬送部
４    トナーカートリッジ
５    画像形成部
６    熱定着部
７    温度センサ
８    給紙トレイ
９    排紙トレイ
１１    ＡＳＩＣ（制御回路）
１２    ヒータ回路
１３    比較回路
１４    基準電圧入力回路
１５    平滑回路
１６    パワーセーブ回路
１９    緩衝増幅器
２１    基準電圧入力ライン
２２    比較電圧入力ライン
２３    信号出力ライン
２４    基準電圧制御ライン
２５    パワーセーブ制御ライン
２６    信号帰還ライン
２７    基準電圧制御ポート
２８    パワーセーブ制御ポート
２９    信号帰還ポート
３１    給紙ローラ
３２〜３５    搬送ローラ
３６    排紙ローラ
５１    感光体ドラム
５２    帯電器
５３    レーザ露光器
５４    現像ブラシ
５５    転写ローラ
６１    ヒータランプ
６２    加熱ローラ
６３    加圧ローラ
Ｒ１    第１の抵抗
Ｒ２    第２の抵抗
【図１】
2008151978.tif 000003
【図２】
2008151978.tif 000004
【図３】
2008151978.tif 000005